(57)【要約】      （修正有）【課題】前後の壁パネルを確実に起立し、しかも起立した状態を確実に維持でき、壁パネルの起立状態を保持する係止部材に対する余分な手動操作を必要とせず、その保持力も向上できるボックスパネルを提供する。  【解決手段】正面壁パネル２Ａと背面壁パネル２Ｂの左右両側に回転自在なフック状の係止部材Ｆを備え、正面壁パネル２Ａと背面壁パネル２Ｂを起立した時上記係止部材Ｆを脚パネル５の上端エッジに着脱自在に係合させることを特徴とする。【選択図】図１
0003204871.tif 000002
【実用新案登録請求の範囲】
【請求項１】
底パネル（１）と、
上記底パネル（１）上の前後に折り畳み自在に起立する前後一対の正面壁パネル（２Ａ）及び背面壁パネル（２Ｂ）と、上記底パネル（１）上の両側に折り畳み自在に起立する一対の右側サイドパネル（３Ａ）及び左側サイドパネル（３Ｂ）と、
上記底パネル（１）の４隅にそれぞれ起立して上記各パネル（２Ａ）、（２Ｂ）、（３Ａ）、（３Ｂに対向する横断面Ｌ字状の脚フレーム５）と、
上記各サイドパネル（３Ａ）、（３Ｂ）の外面前後に設けたストッパ（Ｃ）と、を備えたボックスパレットにおいて、
上記正面壁パネル（２Ａ）と上記背面壁パネル（２Ｂ）の左右両側に回転自在なフック状の係止部材（Ｆ）を備え、上記正面壁パネル（２Ａ）と上記背面壁パネル（Ｂ）を起立した時上記係止部材（Ｆ）を上記脚パネル（５）の上端エッジに着脱自在に係合させる、ことを特徴とするボックスパネル。
【請求項２】
正面壁パネル（２Ａ）と背面壁パネル（２Ｂ）は、門型の補強枠（Ｍ）と、上記補強枠（Ｍ）の内側に結合した網目パネル（９）とで構成され、
上記補強枠（Ｍ）は水平枠（７）と、上記水平枠（７）の両側に下方に向けて結合した左右一対の中空なサイド枠（８）、（８）とで構成され、
上記フック状の係止部材（Ｆ）は上記サイド枠（８）、（８）に設けた軸（１０）と、上記軸（１０）に基端（１１ｂ）を回転自在に支持させたフック片（１１）とで構成され、
正面壁パネル（２Ａ）と背面壁パネル（２Ｂ）を起立した時上記フック片（１１）の先端爪部（１１ａ）を上記脚パネル（５）の上端エッジ（５Ｃ）に係合させることを特徴とする請求項１に記載のボックスパネル。
【請求項３】
上記サイド枠（８）、（８）に孔（１３）を形成し、上記フック片（１１）の基端（１１ｂ）を上記サイド枠（８）、（８）内で軸支させ、上記フック片（１１）の先端爪部（１１ａ）を上記孔（１３）から外部に突出させていることを特徴とする請求項２に記載のボックスパレット。
【考案の詳細な説明】
【技術分野】
【０００１】
本考案は、フォークリストやクレーン等で搬送できる折り畳み自在なボックスパレットに関する。
【背景技術】
【０００２】
一般に、建築・土木工事用の部品又は材料等を積み込んで組立工場や工事現場に搬送し、あるいは、機械工場で製作した機械部品を他の組立工場に移送させる場合等では箱状のボックスパレットを利用している。
【０００３】
このボックスパレットとしては、例えば、特許文献１に示すように金網状の底パネルと、この底パネルの前後，左右に折り畳み自在に起立させた前後の壁パネルと左右の壁パネルと、底パネルの四隅に起立した脚と、前後の壁パネルを起立状態にして保持する錠装置と、左右の壁パネルを起立状態にして保持するコ字状の係合フックとを備えたものが開発されている。
【０００４】
このボックスパレットは、箱状に各パネルを起立して組立てた時内部に部品、建築材料等を収容し、不使用時には各パネルを折り畳んでコンパクトに収容できるようにされている。
【０００５】
前後の壁パネルは水平な梁枠と、この梁枠の両側に設けた角パイプとからなる門型フレームと、この門型フレームの内側に設けたワイヤネットとで構成されている。
【０００６】
そして、係合フックは角パイプに回転自在に取り付けたコ字状のロッドで構成され、前後の壁パネルを起立した時、言い換えれば、角パイプを起立した時係合フックが脚の上方外面に形成した傾斜縁に沿って上昇し、さらに脚の上端を乗り越えた時外方にはみ出してこの脚の上端部外周に引っ掛かり、前後の壁パネルが折り畳み方向に転倒するのを防止し、箱状態を維持させている。
【特許文献１】実用新案登録第３１５０２５７号公報（図５、段落００１１参照）
【考案の開示】
【考案が解決しようとする課題】
【０００７】
上記従来のボックスパレットとしては、特に、機能上の欠陥があるわけではないが、次のような不具合の改善が望まれている。
【０００８】
即ち、係合フックは上記したように、角パイプの起立方向の回転時に脚の上端傾斜縁に沿って上昇するが、長年使用していると、何らかの原因で、例えば、前後の壁パネルのガタの発生、係合フックの回転不良等で必ずこの傾斜縁上に乗りあがるとは限らず、その結果係合フックが脚の上端部に引っ掛からず、壁パネルを垂直に起立できなくなる恐れがある。
【０００９】
同様に、係合フックが脚の外面等に途中で引っ掛かって、脚の上端部外周に係合できなくなり、その結果壁パネルを起立出来なくなる恐れもある。そこで、これら不具合の状態が発生した場合は手動操作で係合フックを回転させていちいち脚の上端に係合させる操作が必要となり、操作が面倒で、手を痛める恐れもある。
【００１０】
さらに、係合フックはコ字状のロッドから構成されているので先端が滑りやすく、脚の上端に対する保持力が弱く外れてしまい、その結果壁パネルが転倒してしまう恐れもある。
【００１１】
そこで、本考案の目的は、前後の壁パネルを確実に起立し、しかも起立した状態を確実に維持でき、壁パネルの起立状態を保持する係止部材に対する余分な手動操作を必要とせず、その保持力も向上できるボックスパネルを提供することである。
【課題を解決するための手段】
【００１２】
上記の目的を達成する、本考案の構成は、底パネルと、上記底パネル上の前後に折り畳み自在に起立する前後一対の正面壁パネル及び背面壁パネルと、上記底パネル上の両側に折り畳み自在に起立する一対の右側サイドパネル及び左側サイドパネルと、上記底パネルの４隅にそれぞれ起立して上記各パネルに対向する横断面Ｌ字状の脚フレームと、上記各サイドパネルの外面前後に設けたストッパと、を備えたボックスパレットにおいて、
上記正面壁パネルと上記背面壁パネルの一端又は両端に回転自在なフック状の係止部材を設け、上記正面壁パネルと上記背面壁パネルを起立した時上記係止部材を上記脚パネルの上端エッジに着脱自在に係合させることを特徴とするものである。
【考案の効果】
【００１３】
各請求項の考案によれば、次の特有の効果を達成できる。
１）フック状の係止部材が正面壁パネルと背面壁パネルとに設けられているので、この係止部材は正面壁パネルと背面壁パネルとを起立した時脚パネルに関係なくこの正面壁パネルと背面壁パネルに連動して自動的に脚パネルの上端エッジまで上昇する。
【００１４】
しかもこの係止部材がフック状であるから、正面壁パネルと背面壁パネルを回動するだけでこの係止部材を確実に脚パネルの上端エッジを乗り越えてこの上端エッジの外周に自動的に係合でき、よって確実に正面壁パネルと背面壁パネルを起立状態に維持できる。
２）フック状の係止部材は脚パネルと関係なく上昇するので脚パネルの外面に途中で引っ掛かることがなく、正面壁パネルと背面壁パネルとが起立出来なくなる恐れは無い。
３）フック状の係止部材は脚パネルの上端エッジに滑ることなく確実に係合できるので外れてしまう恐れが無い。
【図面の簡単な説明】
【００１５】
【図１】本考案の実施の形態に係るボックスパレットの斜視図である。
【図２】同ボックスパレットの正面図である。
【図３】同ボックスパレット右の側面図である。
【図４】同ボックスパレットの一部切欠き平面図である。
【図５】（Ａ）正面壁パネルの正面図である。（Ｂ）正面壁パネルの右側面図である。
【図６】ボックスパレットの一部切欠き拡大右側面図である。
【図７】図６のＡ−Ａ線横断平面図である。
【図８】脚フレームとフック状係止部材の拡大斜視図である。
【図９】（Ａ）、（Ｂ）、（Ｃ）はそれぞれ正面壁パネルの回転位置とフック状係止部材の位置を示す一部拡大側面図である。
【図１０】脚フレームの拡大斜視図である。
【図１１】ストッパを作動させた状態を示すボックスパレットの一部切欠き側面図である。
【図１２】同じくストッパを外した状態を示すボックスパレットの一部切欠き側面図である。
【考案を実施するための形態】
【００１６】
以下本考案の実施の形態を図に基づいて説明する。
【００１７】
図１は本考案の一実施の一例に係わるボックスパレットＢを箱状に組立てた状態を示す斜視図である。
このボックスパレットＢは、底パネル１と、底パネル１上の前後に折り畳み自在に起立する前後一対の正面壁パネル２Ａ及び背面壁パネル２Ｂと、底パネル１上の左右両側に折り畳み自在に起立する一対の右側サイドパネル３Ａ及び左側サイドパネル３Ｂと、底パネル１の４隅にそれぞれ起立して各パネル２Ａ、２Ｂ、３Ａ、３Ｂに対向する横断面Ｌ字状の脚フレーム５）と、各サイドパネル３Ａ、３Ｂの外面前後に設けたストッパＣとを備えている。
本考案の特徴は、正面壁パネル２Ａと背面壁パネル２Ｂの左右両側に回転自在なフック状の係止部材Ｆを備えておき、正面壁パネル２Ａと背面壁パネルＢを起立した時この係止部材Ｆを脚パネル５の上端エッジ５Ｃに着脱自在に係合させるようにすることである。
脚パネル５は図１０に示すようにベース６上に起立する横断面Ｌ字状に形成した一対のフレーム５Ａ、５Ｂとで構成され、各フレーム５Ａ、５Ｂの内面に各パネル２Ａ、２Ｂ、３Ａ、３Ｂが宛がわされて起立状態を保持できるようになっている。
正面壁パネル２Ａと背面壁パネル２Ｂは、門型の補強枠Ｍと、補強枠Ｍの内側に結合した網目パネル９とで構成され、脚パネル５に設けたピンＰ２を支点にて回転して起立状態又は折り畳み状態にすることができるようになっている。
補強枠Ｍは図１、図５に示すように、上端の水平枠７と、水平枠７の両側に下方に向けて結合した左右一対の中空なサイド枠８、８とで構成されている。
補強枠Ｍの上端両側には吊り下げ用の引っ掛けリング１３が取り付けられており、これにワイヤ等を引っ掛けてクレーン等からボックパレットＢ自体が吊り下げられようになっている。
【００１８】
上記底パネル１は図４に示すように、縦横に組み付けた補強フレーム１Ａと、この補強フレーム１Ａ上に敷設した底ワイヤネット４とで構成されている。
左右のサイドパネル３Ａ、３Ｂは図３、図１１、図１２に示すように、上端の水平枠１４と、この水平枠１４に下方に向けて結合した網目パネル１５とで構成され、脚パネル５に設けたピンＰ１を支点にして回転して起立上状態又は折り畳み状態にすることができるようになっている。
各サイドパネル３Ａ、３Ｂの前後両側には網目パネル１５に固定されたストッパＣ、Ｃが正面壁パネル２Ａと背面壁パネル２Ｂの各サイド枠８、８に対向して設けられている。
このストッパＣは網目パネル１５に固定した一対のガイドフレーム１６、１９と、一方のガイドフレーム１６に水平方向移動自在に挿入したピン１７と、このピン１７に固定した操作ハンドル１８とで構成されている。
上記正面壁パネル２Ａと背面壁パネル２Ｂのサイド枠８には上記ピン１７に対向する係止孔２０が形成されている。
図１１に示すように、ハンドル１８を介してピン１７をスライドさせてガイドフレーム１９の孔と係止孔２０に嵌合させるとサイドパネル３Ａ、３Ｂはこのピン１７によるストッパＣでそれぞれ正面壁パネル２Ａと背面壁パネル２Ｂに保持されて起立状態が保持される。
他方、ボックスパネルＢを折りたたむ場合は、図１２に示すように、ハンドル１８を介してピン１７を後退させて係止孔２０から抜く。
この時、ストッパＣの鎖錠状態が解除され、手動でサイドパネル３Ａ、３Ｂを押し込むとピンＰ１を支点にして回転してそれぞれ底パネル１上に重ねて折り畳まれる。
ガイドフレーム１９は無くても使用可能である。
フック状の係止部材（Ｆ）は図４、図８、図９に示すように、サイド枠８、８に設けた軸１０と、軸１０に基端１１ｂを回転自在に支持させたフック片１１とで構成され、正面壁パネル２Ａと背面壁パネル２Ｂを起立した時フック片１１の先端爪部１１ａを脚パネル５の上端エッジ５Ｃに係合させるようになっている。
この場合、サイド枠８、８に孔１６を形成し、フック片１１の基端１１ｂをサイド枠８、８内で軸支させ、フック片１１の先端爪部１１ａを孔１６から外部に突出させている。
フック片１１は軸１０を治具等で回転させとも良く、手動で回転操作しても良く、予め水平に保持しておいても良い。
フック片１１を予め水平に固定している場合、例えば、図９（Ａ）、（Ｂ）、（Ｃ）に示すように、正面壁パネル２Ａのサイド枠８の矢印Ｘ方向の回転に伴って自動的に脚５の上端エッジ５Ｃ方向に移動し、正面壁パネル２Ａが垂直に起立したとき図９（ｃ）に示すように上端エッジ５Ｃの外面に係合し、その結果強制的にフック片１１を押し上げながら正面壁パネル２Ａを矢印Ｘと反対方向に押し込まない限りフック片１１は外れず、正面壁パネル２Ａの起立状態を維持できる。
【００１９】
即ち、フック状の係止部材Ｆが正面壁パネル２Ａと背面壁パネル２Ｂとに設けられているので、この係止部材Ｆは正面壁パネル２Ａと背面壁パネル２Ｂとを起立した時脚パネル５に関係なくこの正面壁パネル２Ａと背面壁パネル２Ｂに連動して自動的に脚パネル５の上端エッジ５Ｃまで上昇する。
【００２０】
しかもこの係止部材Ｆがフック状であるから、正面壁パネル２Ａと背面壁パネル２Ｂを回動するだけでこの係止部材Ｆを確実に脚パネル５の上端エッジ５Ｃを乗り越えてこの上端エッジ５Ｃの外周に自動的に係合でき、よって確実に正面壁パネル２Ａと背面壁パネル２Ｂを起立状態に維持できる。
また、フック状の係止部材Ｆは脚パネルと関係なく上昇するので従来のように脚パネル５の外面に途中で引っ掛かることがなく、正面壁パネル２Ａ、２Ｂが起立出来なくなる恐れは無い。
さらに、フック状の係止部材Ｆは脚パネル５の上端エッジ５Ｃに滑ることなく確実に係合できるので外れてしまう恐れも無い。
【符号の説明】
【００２１】
１    底パネル
２Ａ  正面壁パネル
２Ａ  背面壁パネル
３Ａ  右側サイドパネル
３Ｂ  左側サイドパネル
５    脚フレーム
５Ｃ  上端エッジ
７    水平枠
８    補強枠
９    網目パネル
１０  軸
１１  フック片
１１ａ  先端爪部
１１ｂ  基端
１３  孔
Ｂ    ボックスパレット
Ｃ    ストッパ
Ｆ    フック状の係止部材
Ｍ    補強枠
【図１】
0003204871.tif 000003
【図２】
0003204871.tif 000004
【図３】
0003204871.tif 000005
【図４】
0003204871.tif 000006
【図５】
0003204871.tif 000007
【図６】
0003204871.tif 000008
【図７】
0003204871.tif 000009
【図８】
0003204871.tif 000010
【図９】
0003204871.tif 000011
【図１０】
0003204871.tif 000012
【図１１】
0003204871.tif 000013
【図１２】
0003204871.tif 000014
【手続補正書】
【提出日】平成28年4月11日(2016.4.11)
【手続補正１】
【補正対象書類名】実用新案登録請求の範囲
【補正対象項目名】全文
【補正方法】変更
【補正の内容】
【実用新案登録請求の範囲】
【請求項１】
底パネル（１）と、
上記底パネル（１）上の前後に折り畳み自在に起立する前後一対の正面壁パネル（２Ａ）及び背面壁パネル（２Ｂ）と、上記底パネル（１）上の両側に折り畳み自在に起立する一対の右側サイドパネル（３Ａ）及び左側サイドパネル（３Ｂ）と、
上記底パネル（１）の４隅にそれぞれ起立して上記各パネル（２Ａ）、（２Ｂ）、（３Ａ）、（３Ｂ）に対向する横断面Ｌ字状の脚フレーム（５）と、
上記各サイドパネル（３Ａ）、（３Ｂ）の外面前後に設けたストッパ（Ｃ）と、を備えたボックスパレットにおいて、
上記正面壁パネル（２Ａ）と上記背面壁パネル（２Ｂ）の左右両側に回転自在なフック状の係止部材（Ｆ）を備え、上記正面壁パネル（２Ａ）と上記背面壁パネル（Ｂ）を起立した時上記係止部材（Ｆ）を上記脚フレーム（５）の上端エッジに着脱自在に係合させる、ことを特徴とするボックスパネル。
【請求項２】
正面壁パネル（２Ａ）と背面壁パネル（２Ｂ）は、門型の補強枠（Ｍ）と、上記補強枠（Ｍ）の内側に結合した網目パネル（９）とで構成され、
上記補強枠（Ｍ）は水平枠（７）と、上記水平枠（７）の両側に下方に向けて結合した左右一対の中空なサイド枠（８）、（８）とで構成され、
上記フック状の係止部材（Ｆ）は上記サイド枠（８）、（８）に設けた軸（１０）と、上記軸（１０）に基端（１１ｂ）を回転自在に支持させたフック片（１１）とで構成され、
正面壁パネル（２Ａ）と背面壁パネル（２Ｂ）を起立した時上記フック片（１１）の先端爪部（１１ａ）を上記脚フレーム（５）の上端エッジ（５Ｃ）に係合させることを特徴とする請求項１に記載のボックスパネル。
【請求項３】
上記サイド枠（８）、（８）に孔（１３）を形成し、上記フック片（１１）の基端（１１ｂ）を上記サイド枠（８）、（８）内で軸支させ、上記フック片（１１）の先端爪部（１１ａ）を上記孔（１３）から外部に突出させていることを特徴とする請求項２に記載のボックスパレット。
【手続補正２】
【補正対象書類名】明細書
【補正対象項目名】００１２
【補正方法】変更
【補正の内容】
【００１２】
上記の目的を達成する、本考案の構成は、底パネルと、上記底パネル上の前後に折り畳み自在に起立する前後一対の正面壁パネル及び背面壁パネルと、上記底パネル上の両側に折り畳み自在に起立する一対の右側サイドパネル及び左側サイドパネルと、上記底パネルの４隅にそれぞれ起立して上記各パネルに対向する横断面Ｌ字状の脚フレームと、上記各サイドパネルの外面前後に設けたストッパと、を備えたボックスパレットにおいて、
上記正面壁パネルと上記背面壁パネルの一端又は両端に回転自在なフック状の係止部材を設け、上記正面壁パネルと上記背面壁パネルを起立した時上記係止部材を上記脚フレームの上端エッジに着脱自在に係合させることを特徴とするものである。
【手続補正３】
【補正対象書類名】明細書
【補正対象項目名】００１３
【補正方法】変更
【補正の内容】
【００１３】
各請求項の考案によれば、次の特有の効果を達成できる。
１）フック状の係止部材が正面壁パネルと背面壁パネルとに設けられているので、この係止部材は正面壁パネルと背面壁パネルとを起立した時脚フレームに関係なくこの正面壁パネルと背面壁パネルに連動して自動的に脚フレームの上端エッジまで上昇する。
【手続補正４】
【補正対象書類名】明細書
【補正対象項目名】００１４
【補正方法】変更
【補正の内容】
【００１４】
しかもこの係止部材がフック状であるから、正面壁パネルと背面壁パネルを回動するだけでこの係止部材を確実に脚フレームの上端エッジを乗り越えてこの上端エッジの外周に自動的に係合でき、よって確実に正面壁パネルと背面壁パネルを起立状態に維持できる。
２）フック状の係止部材は脚フレームと関係なく上昇するので脚パネルの外面に途中で引っ掛かることがなく、正面壁パネルと背面壁パネルとが起立出来なくなる恐れは無い。
３）フック状の係止部材は脚フレームの上端エッジに滑ることなく確実に係合できるので外れてしまう恐れが無い。
【手続補正５】
【補正対象書類名】明細書
【補正対象項目名】００１７
【補正方法】変更
【補正の内容】
【００１７】
図１は本考案の一実施の一例に係わるボックスパレットＢを箱状に組立てた状態を示す斜視図である。
このボックスパレットＢは、底パネル１と、底パネル１上の前後に折り畳み自在に起立する前後一対の正面壁パネル２Ａ及び背面壁パネル２Ｂと、底パネル１上の左右両側に折り畳み自在に起立する一対の右側サイドパネル３Ａ及び左側サイドパネル３Ｂと、底パネル１の４隅にそれぞれ起立して各パネル２Ａ、２Ｂ、３Ａ、３Ｂに対向する横断面Ｌ字状の脚フレーム５と、各サイドパネル３Ａ、３Ｂの外面前後に設けたストッパＣとを備えている。
本考案の特徴は、正面壁パネル２Ａと背面壁パネル２Ｂの左右両側に回転自在なフック状の係止部材Ｆを備えておき、正面壁パネル２Ａと背面壁パネルＢを起立した時この係止部材Ｆを脚フレーム５の上端エッジ５Ｃに着脱自在に係合させるようにすることである。
脚フレーム５は図１０に示すようにベース６上に起立する横断面Ｌ字状に形成した一対のフレーム５Ａ、５Ｂとで構成され、各フレーム５Ａ、５Ｂの内面に各パネル２Ａ、２Ｂ、３Ａ、３Ｂが宛がわされて起立状態を保持できるようになっている。
正面壁パネル２Ａと背面壁パネル２Ｂは、門型の補強枠Ｍと、補強枠Ｍの内側に結合した網目パネル９とで構成され、脚フレーム５に設けたピンＰ２を支点にて回転して起立状態又は折り畳み状態にすることができるようになっている。
補強枠Ｍは図１、図５に示すように、上端の水平枠７と、水平枠７の両側に下方に向けて結合した左右一対の中空なサイド枠８、８とで構成されている。
補強枠Ｍの上端両側には吊り下げ用の引っ掛けリング１３が取り付けられており、これにワイヤ等を引っ掛けてクレーン等からボックパレットＢ自体が吊り下げられようになっている。
【手続補正６】
【補正対象書類名】明細書
【補正対象項目名】００１８
【補正方法】変更
【補正の内容】
【００１８】
上記底パネル１は図４に示すように、縦横に組み付けた補強フレーム１Ａと、この補強フレーム１Ａ上に敷設した底ワイヤネット４とで構成されている。
左右のサイドパネル３Ａ、３Ｂは図３、図１１、図１２に示すように、上端の水平枠１４と、この水平枠１４に下方に向けて結合した網目パネル１５とで構成され、脚パネル５に設けたピンＰ１を支点にして回転して起立上状態又は折り畳み状態にすることができるようになっている。
各サイドパネル３Ａ、３Ｂの前後両側には網目パネル１５に固定されたストッパＣ、Ｃが正面壁パネル２Ａと背面壁パネル２Ｂの各サイド枠８、８に対向して設けられている。
このストッパＣは網目パネル１５に固定した一対のガイドフレーム１６、１９と、一方のガイドフレーム１６に水平方向移動自在に挿入したピン１７と、このピン１７に固定した操作ハンドル１８とで構成されている。
上記正面壁パネル２Ａと背面壁パネル２Ｂのサイド枠８には上記ピン１７に対向する係止孔２０が形成されている。
図１１に示すように、ハンドル１８を介してピン１７をスライドさせてガイドフレーム１９の孔と係止孔２０に嵌合させるとサイドパネル３Ａ、３Ｂはこのピン１７によるストッパＣでそれぞれ正面壁パネル２Ａと背面壁パネル２Ｂに保持されて起立状態が保持される。
他方、ボックスパネルＢを折りたたむ場合は、図１２に示すように、ハンドル１８を介してピン１７を後退させて係止孔２０から抜く。
この時、ストッパＣの鎖錠状態が解除され、手動でサイドパネル３Ａ、３Ｂを押し込むとピンＰ１を支点にして回転してそれぞれ底パネル１上に重ねて折り畳まれる。
ガイドフレーム１９は無くても使用可能である。
フック状の係止部材（Ｆ）は図４、図８、図９に示すように、サイド枠８、８に設けた軸１０と、軸１０に基端１１ｂを回転自在に支持させたフック片１１とで構成され、正面壁パネル２Ａと背面壁パネル２Ｂを起立した時フック片１１の先端爪部１１ａを脚フレーム５の上端エッジ５Ｃに係合させるようになっている。